【手続補正書】
【提出日】平成30年9月13日(2018.9.13)
【手続補正１】
【補正対象書類名】特許請求の範囲
【補正対象項目名】全文
【補正方法】変更
【補正の内容】
【特許請求の範囲】
【請求項１】
扁平の略直方体をなす筐体の一平面に表示部を備える第１の筐体と、
扁平の略直方体をなす筐体の一平面に操作部を備え、前記第１の筐体の前記表示部と前記操作部とを対面させた第１の状態と、前記第１の筐体の背面と前記操作部とを対面させたタブレット使用の第２の状態の両方で、前記第１の筐体と重ね合わさる第２の筐体と、
前記第１の筐体の一側面側に設けられ、前記表示部側の一平面に第１磁極、その背面に第２磁極が配置される第１磁石と、
前記第１の筐体の一側面側に設けられ、前記表示部側の一平面とその背面に前記第１磁石と同じ磁極が配置される第２磁石と、
前記第１の筐体の対向面側に設けられ、前記表示部側の一平面に第２磁極、その背面に第１磁極が配置される第３磁石と、
前記第１の筐体の対向面側に設けられ、前記表示部側の一平面とその背面に前記第３磁石と同じ磁極が配置される第４磁石と、
前記第２の筐体の一側面側に設けられ、前記操作部側の一平面に前記第３磁石および前記第４磁石の前記一平面と同じ磁極が配置される第５磁石と、
前記第２の筐体の一側面側に設けられ、前記操作部側の一平面に前記第５磁石と同じ磁極が配置される第６磁石と、
前記第２の筐体の対向面側に設けられ、前記操作部側の一平面に前記第１磁石および前記第２磁石の前記一平面と同じ磁極が配置される第７磁石と、
前記第２の筐体の対向面側に設けられ、前記操作部側の一平面に前記第７磁石と同じ磁極が配置される第８磁石と、
を具備し、
前記第２の筐体に前記第１の筐体が前記第１の状態で重ね合わさる状態では、前記第１の筐体の前記一平面側の前記第１磁石、前記第２磁石、前記第３磁石、および前記第４磁石と、それに対向する前記第２の筐体の前記一平面側の前記第５磁石、前記第６磁石、前記第７磁石、および前記第８磁石がそれぞれ吸着し、
前記第２の筐体に前記第１の筐体が前記第２の状態で重ね合わさる状態では、前記第１の筐体の前記背面側の前記第１磁石、前記第２磁石、前記第３磁石、および前記第４磁石と、それに対向する前記第２の筐体の前記一平面側の前記第７磁石、前記第８磁石、前記第５磁石、および前記第６磁石がそれぞれ吸着する
携帯型の情報処理装置。
【請求項２】
前記第１磁石、前記第２磁石、前記第３磁石、および前記第４磁石の厚さは、前記第１の筐体の厚さより僅かに小さい請求項１に記載の携帯型の情報処理装置。
【請求項３】
前記第５磁石、前記第６磁石、前記第７磁石、および前記第８磁石の厚さは、前記第２の筐体の厚さより僅かに小さい請求項１に記載の携帯型の情報処理装置。
【請求項４】
扁平の略直方体をなす筐体の一平面に表示部を備える第１の筐体と、
扁平の略直方体をなす筐体の一平面に操作部を備え、前記第１の筐体の前記表示部と前記操作部とを対面させた第１の状態と、前記第１の筐体の背面と前記操作部とを対面させたタブレット使用の第２の状態の両方で、前記第１の筐体と重ね合わさる第２の筐体と、
前記第１の筐体の一側面側に設けられ、第１磁極および第２磁極がフレームと底面の間に介在する第１磁石と、
前記第１の筐体の前記一側面側に設けられ、第２磁極および第１磁極が前記フレームと前記底面の間に介在する第２磁石と、
前記第１の筐体の対向面側に設けられ、前記フレームと前記底面の間に介在して、前記第１磁石と同じ磁極が配置される第３磁石と、
前記第１の筐体の前記対向面側に設けられ、前記フレームと前記底面の間に介在して、前記第２磁石と同じ磁極が配置される第４磁石と、
前記第２の筐体の一側面側に設けられ、フレームと底面の間に介在して、前記第２磁石および前記第４磁石と同じ磁極が配置される第５磁石と、
前記第２の筐体の前記一側面側に設けられ、前記フレームと前記底面の間に介在して、前記第１磁石および前記第３磁石と同じ磁極が配置される第６磁石と、
前記第２の筐体の前記対向面側に設けられ、前記フレームと前記底面の間に介在して、前記第５磁石と同じ磁極が配置される第７磁石と、
前記第２の筐体の前記対向面側に設けられ、前記フレームと前記底面の間に介在して、前記第６磁石と同じ磁極が配置される第８磁石と、
を具備し、
前記第２の筐体に前記第１の筐体が前記第１の状態で重ね合わさる状態では、前記第１の筐体の前記一平面側の前記第１磁石、前記第２磁石、前記第３磁石、および前記第４磁石と、それに対向する前記第２の筐体の前記一平面側の前記第５磁石、前記第６磁石、前記第７磁石、および前記第８磁石がそれぞれ吸着し、
前記第２の筐体に前記第１の筐体が前記第２の状態で重ね合わさる状態では、前記第１の筐体の前記背面側の前記第１磁石、前記第２磁石、前記第３磁石、および前記第４磁石と、それに対向する前記第２の筐体の前記一平面側の前記第７磁石、前記第８磁石、前記第５磁石、および前記第６磁石がそれぞれ吸着する
携帯型の情報処理装置。
【請求項５】
前記第１磁石、前記第２磁石、前記第３磁石、および前記第４磁石の厚さは、前記第１の筐体の厚さより僅かに小さい請求項４に記載の携帯型の情報処理装置。
【請求項６】
前記第５磁石、前記第６磁石、前記第７磁石、および前記第８磁石の厚さは、前記第２の筐体の厚さより僅かに小さい請求項４に記載の携帯型の情報処理装置。
【手続補正２】
【補正対象書類名】明細書
【補正対象項目名】発明の名称
【補正方法】変更
【補正の内容】
【発明の名称】携帯型の情報処理装置
【手続補正３】
【補正対象書類名】明細書
【補正対象項目名】０００１
【補正方法】変更
【補正の内容】
【０００１】
本発明の実施形態は、２つのデバイスを備えた携帯型の情報処理装置に関する。
【手続補正４】
【補正対象書類名】明細書
【補正対象項目名】０００６
【補正方法】変更
【補正の内容】
【０００６】
本実施形態によれば、携帯型の情報処理装置は、第１の筺体と、第２の筐体と、第１から第８の磁石とを具備する。第１の筺体は、扁平の略直方体をなす筐体の一平面に表示部を備える。第２の筐体は、扁平の略直方体をなす筐体の一平面に操作部を備え、第１の筐体の表示部と操作部とを対面させた第１の状態と、第１の筐体の背面と操作部とを対面させたタブレット使用の第２の状態の両方で、第１の筐体と重ね合わさる。第１磁石は、第１の筐体の一側面側に設けられ、表示部側の一平面に第１磁極、その背面に第２磁極が配置される。第２磁石は、第１の筐体の一側面側に設けられ、表示部側の一平面とその背面に第１磁石と同じ磁極が配置される。第３磁石は、第１の筐体の対向面側に設けられ、表示部側の一平面に第２磁極、その背面に第１磁極が配置される。第４磁石は、第１の筐体の対向面側に設けられ、表示部側の一平面とその背面に第３の磁石と同じ磁極が配置される。第５磁石は、第２の筐体の一側面側に設けられ、操作部側の一平面に第３磁石および第４磁石の一平面と同じ磁極が配置される。第６磁石は、第２の筐体の一側面側に設けられ、操作部側の一平面に第５磁石と同じ磁極が配置される。第７磁石は、第２の筐体の対向面側に設けられ、操作部側の一平面に第１磁石および第２磁石の一平面と同じ磁極が配置される。第８磁石は、第２の筐体の対向面側に設けられ、操作部側の一平面に第７磁石と同じ磁極が配置される。第２の筐体に第１の筐体が第１の状態で重ね合わさる状態では、第１の筐体の一平面側の第１磁石、第２磁石、第３磁石、および第４磁石と、それに対向する第２の筐体の一平面側の第５磁石、第６磁石、第７磁石、および第８磁石がそれぞれ吸着する。第２の筐体に第１の筐体が第２の状態で重ね合わさる状態では、第１の筐体の背面側の第１磁石、第２磁石、第３磁石、および第４磁石と、それに対向する第２の筐体の一平面側の第７磁石、第８磁石、第５磁石、および第６磁石がそれぞれ吸着する。